(57)【要約】【課題】建物の老朽化にともなう下がり壁部分のタイル並びにモルタルの欠落、落下を防止するためにタイルやモルタルの鼻先に取付る落下防止用カバーを提供する。【解決手段】建物の老朽化にともなうタイル並びにモルタルの欠落、落下を防止するためにタイルやモルタルの鼻先に取付る落下防止カバーは、アルミ押出形材で製作する下がり壁部鼻先部分の見切り化粧部材と軒天見込み化粧部材を有し、該見切り化粧部材と軒天見込み化粧部材は前記下がり壁鼻先部分と軒天端部でジョイントしてＬ字型を形成し、また、該見込み化粧部材は建物の鼻先形状等により任意に見込み幅を増加できる見込み幅形成部材を軒天部分で任意にジョイント可能に構成した。【選択図】図１
2005307634.tif 000002
【特許請求の範囲】
【請求項１】
建物の老朽化にともなうタイル並びにモルタルの欠落、落下を防止するためにタイルやモルタルの鼻先に取付る落下防止カバーは、アルミ押出形材で製作する下がり壁部鼻先部分の見切り化粧部材と軒天見込み化粧部材を有し、該見切り化粧部材と軒天見込み化粧部材は前記下がり壁鼻先部分と軒天端部でジョイントしてＬ字型を形成し、また、該見込み化粧部材は建物の鼻先形状等により任意に見込み幅を増加できる見込み幅形成部材を軒天部分で任意にジョイント可能に構成したことを特徴とする建物の鼻先落下防止用カバー。
【請求項２】
前記軒天見込み化粧部材はその長手方向に少なくとも二本のアンカー設置溝を設け、該二本のアンカー設置溝よりアンカーボルトの打設位置をコンクリート縁部より遠ざけて強度面で確実にコンクリート躯体にアンカーボルトを打設可能とし、該アンカーボルトの打設ピッチは前記長手方向に設けられたアンカー設置溝内でコンクリート躯体内の鉄筋を調査しつつ任意ピッチで打設して軒天見込み化粧部材をコンクリート躯体に固着でき、該アンカー設置溝はアンカー打設後アルミ蓋部材を嵌着して覆うことを特徴とする請求項１記載の建物の鼻先落下防止用カバー。
【請求項３】
前記軒天見込み化粧部材に軒天部分でジョイントされ軒天部分の見込み化粧部材を大きくすることのできる見込み幅形成部材を接続し、該見込み幅形成部材の長手方向に一本並びに複数本のアンカー設置溝を設け、該アンカー設置溝よりコンクリート躯体に任意ピッチでアンカーを打設した後アルミ蓋部材を嵌着して覆いジョイントされた軒天見込み化粧部材と見込み幅形成部材にて鼻先落下防止カバーの見込み部を構成したことを特徴とする請求項１並びに請求項２記載の建物の鼻先落下防止用カバー。
【請求項４】
前記下がり壁面の取りあい部分を構成する鼻先落下防止カバーの見切り化粧部端部の断面形状は不定形シールにて納める場合のポケットと専用パッキンで納める場合のポケットを兼用できる形状となしたことを特徴とする請求項１乃至請求項３記載の建物の鼻先落下防止用カバー。
【請求項５】
前記鼻先落下防止カバーを形成する下がり壁部鼻先部分の見切り化粧部材、軒天見込み化粧部材、見込み幅形成部材はそれぞれフラット板材の接続用コ型嵌合部を有し、該接続用コ型嵌合部に前記フラット板材を接続用芯材として挿嵌しビス止めすることによりそれぞれの部材間の直線ジョイント或いは出隅、入隅のコーナージョイントが形成できることを特徴とする請求項１乃至請求項４記載の建物の鼻先落下防止用カバー。
【発明の詳細な説明】
【技術分野】
【０００１】
本発明は、建物の老朽化にともなう下がり壁部分のタイル並びにモルタルの欠落、落下を防止するためにタイルやモルタルの鼻先に取付る落下防止用カバーに関するものである。
【背景技術】
【０００２】
建物の老朽化にともなう下がり壁部分のタイル並びにモルタルの欠落、落下事故を防止するためにタイルやモルタルの鼻先に取付る落下防止用カバーにあっては、建物の仕様や、下がり壁部分の寸法、納まりが各現場毎に異なるためにほとんど場合、現場あわせの寸法で曲げ加工製品を製作して、設置しているのが現状である。
【０００３】
然しながら、下がり壁部分の落下防止用カバーは、落下事故防止用の緊急対応の場合が多く、該事態に対応するときに、現場実測、設計そして曲げ加工による製作では非常に効率が悪く、落下事故防止用の緊急対応、並びに処置を迅速に行う必要性がある。
【発明の開示】
【発明が解決しようとする課題】
【０００４】
而して本発明は、下がり壁部分の落下防止用カバーを汎用性のある組合せ式アルミ押出形材で予め製作しておき、該規格化された数種類の部品を現場に合わせて組合せながら取付できるように構成し、下がり壁部分の落下防止用カバーを迅速、且つ、精度良く施工できるようにしたものである。
【課題を解決するための手段】
【０００５】
本発明は、建物の老朽化にともなうタイル並びにモルタルの欠落、落下を防止するためにタイルやモルタルの鼻先に取付る落下防止カバーで、アルミ押出形材で製作する下がり壁部鼻先部分の見切り化粧部材と軒天見込み化粧部材を有し、該見切り化粧部材と軒天見込み化粧部材は前記下がり壁鼻先部分と軒天端部でジョイントしてＬ字型を形成し、また、該見込み化粧部材は建物の鼻先形状等により任意に見込み幅を増加できる見込み幅形成部材を軒天部分で任意にジョイント可能に構成した建物の鼻先落下防止用カバーである。
【０００６】
本発明において、軒天見込み化粧部材は、その長手方向に少なくとも二本のアンカー設置溝を設け、該二本のアンカー設置溝よりアンカーボルトの打設位置をコンクリート縁部より遠ざけて強度面で確実にコンクリート躯体にアンカーボルトを打設可能とし、該アンカーボルトの打設ピッチは前記長手方向に設けられたアンカー設置溝内でコンクリート躯体内の鉄筋を調査しつつ任意ピッチで打設して軒天見込み化粧部材をコンクリート躯体に固着でき、該アンカー設置溝はアンカー打設後アルミ蓋部材を嵌着して覆う様に構成した。
【０００７】
また、本発明は、軒天見込み化粧部材に軒天部分でジョイントされ軒天部分の見込み化粧部材を大きくすることのできる見込み幅形成部材を接続し、該見込み幅形成部材の長手方向に一本並びに複数本のアンカー設置溝を設け、該アンカー設置溝よりコンクリート躯体に任意ピッチでアンカーを打設した後アルミ蓋部材を嵌着して覆いジョイントされた軒天見込み化粧部材と見込み幅形成部材にて鼻先落下防止カバーの見込み部を構成した。
【０００８】
更に、本発明おいて、下がり壁面の取り合い部分を構成する鼻先落下防止カバーの見切り化粧部端部の断面形状は、不定形シールにて納める場合のポケットと専用パッキンで納める場合のポケットを兼用できる形状とした。
【０００９】
更にまた、本発明において、鼻先落下防止カバーを形成する下がり壁部鼻先部分の見切り化粧部材、軒天見込み化粧部材、見込み幅形成部材は、それぞれフラット板材の接続用コ型嵌合部を有し、該接続用コ型嵌合部に前記フラット板材を接続用芯材として挿嵌しビス止めすることによりそれぞれの部材間の直線ジョイント或いは出隅、入隅のコーナージョイントが形成できる様に構成した建物の鼻先落下防止用カバーを具現化した。
【発明の効果】
【００１０】
而して本発明は、下がり壁部分の落下防止用カバーを汎用性のある組合せ式アルミ押出形材で予め製作しておき、該規格化された数種類の部品を現場に合わせて組合せながら取付できるように構成し、下がり壁部分の落下防止用カバーを迅速、且つ、精度良く施工できるようにしたものであり、また当然のことながら本発明は、建物の新築工事においても、下がり壁の下端水切として迅速、且つ、高精度に施工できるものである。
【発明を実施するための最良の形態】
【００１１】
斯くして、本発明において、建物の老朽化にともなうタイル並びにモルタルの欠落、落下を防止するためのタイルやモルタルの鼻先に取付る落下防止カバーは、アルミ押出形材で製作する下がり壁部鼻先部分の見切り化粧部材と軒天見込み化粧部材を有し、該見切り化粧部材と軒天見込み化粧部材は前記下がり壁鼻先部分と軒天端部でジョイントしてＬ字型を形成し、また、該見込み化粧部材は建物の鼻先形状等により任意に見込み幅を増加できる見込み幅形成部材を軒天部分で任意にジョイント可能に構成したことを要旨としている建物の鼻先落下防止用カバーである。
【００１２】
本発明の軒天見込み化粧部材は、その長手方向に少なくとも二本のアンカー設置溝を設け、該二本のアンカー設置溝よりアンカーボルトの打設位置をコンクリート縁部より遠ざけて強度面で確実にコンクリート躯体にアンカーボルトを打設可能とし、該アンカーボルトの打設ピッチは前記長手方向に設けられたアンカー設置溝内でコンクリート躯体内の鉄筋を調査しつつ任意ピッチで打設して軒天見込み化粧部材をコンクリート躯体に固着でき、該アンカー設置溝はアンカー打設後アルミ蓋部材を嵌着して覆うことを要旨としている。
【００１３】
また本発明の軒天見込み化粧部材は、軒天部分でジョイントされ軒天部分の見込み化粧部材を大きくすることのできる見込み幅形成部材を接続し、該見込み幅形成部材の長手方向に一本並びに複数本のアンカー設置溝を設け、該アンカー設置溝よりコンクリート躯体に任意ピッチでアンカーを打設した後アルミ蓋部材を嵌着して覆いジョイントされた軒天見込み化粧部材と見込み幅形成部材にて鼻先落下防止カバーの見込み部を構成したことを要旨としている。
【００１４】
更に、本発明において、下がり壁面の取りあい部分を構成する鼻先落下防止カバーの見切り化粧部端部の断面形状は、不定形シールにて納める場合のポケットと専用パッキンで納める場合のポケットを兼用できる形状とした。
【００１５】
更にまた、本発明の鼻先落下防止用カバーを形成する下がり壁部鼻先部分の見切り化粧部材、軒天見込み化粧部材、見込み幅形成部材は、それぞれフラット板材の接続用コ型嵌合部を有し、該接続用コ型嵌合部に前記フラット板材を接続用芯材として挿嵌しビス止めすることによりそれぞれの部材間の直線ジョイント或いは出隅、入隅のコーナージョイントが形成できることを要旨としている。
【００１６】
そして本発明は、改築、補修工事にとどまらず、建物の新築工事においても、下がり壁の下端水切として迅速、且つ、高精度に施工できるものである。
【実施例１】
【００１７】
図１乃至図５は実施例１を説明するものであり、図１は本発明を実施施工した例を示す側断面説明図、図２乃至図５は図１の下がり壁部分落下防止用カバーを構成する各部品を説明する側断面図で、図２は実施例１に使用される専用パッキンの形状を示す側断面図、図３は下がり壁鼻先部分の見切り化粧部材を示す側断面図、図４は軒天見込み化粧部材を示す側断面図、図５は見込み幅形成部材を示す側断面図である。
【００１８】
図１乃至図５において、１は建物の下がり壁を形成するタイル、２はモルタルからなる軒天部、３はコンクリート躯体であり、該下がり壁には本発明の落下防止用カバー４が装着されている。そして落下防止用カバー４は下がり壁鼻先部分見切り化粧材５、軒天見込み化粧部材６、見込み幅形成部材７から構成されている。
【００１９】
前記落下防止カバー４はアルミ押出形材で製作する下がり壁部鼻先部分の見切り化粧部材５と軒天見込み化粧部材６を有し、該見切り化粧部材５と軒天見込み化粧部材６は下がり壁鼻先部分８と軒天端部９でビス１０にてジョイントしてＬ字型を形成し、また、該見込み化粧部材６は建物の鼻先形状等により任意に見込み幅Ｄを増加できる見込み幅形成部材７を軒天部２で任意にジョイント可能に構成している。
【００２０】
また、前記軒天見込み化粧部材６はその長手方向に少なくとも二本のアンカー設置溝１１a、１１ｂを設け、該二本のアンカー設置溝１１a、１１ｂよりアンカーボルト１２の打設位置をコンクリート縁部より遠ざけて強度面で確実にコンクリート躯体３にアンカーボルト１２を打設し、該アンカーボルト１２の打設ピッチは前記長手方向に設けられたアンカー設置溝１１a、１１ｂ内でコンクリート躯体３内の鉄筋を調査しつつ任意ピッチで打設して軒天見込み化粧部を固着でき、該アンカー設置溝１１a、１１ｂはアンカー１２打設後アルミ蓋部材１３を嵌着して覆う様に構成した。
【００２１】
更にまた、前記軒天見込み化粧部材６に軒天部２でジョイントされ軒天部２の見込み幅Ｄを大きくすることのできる見込み幅形成部材７はその長手方向に一本並びに複数本のアンカー設置溝１４を有し、該アンカー設置溝１４よりコンクリート躯体３に任意ピッチでアンカー１５を打設した後、アルミ蓋部材１６を嵌着して覆いジョイントされた軒天見込み化粧部材６と見込み幅形成部材７にて鼻先落下防止カバー４の見込み部Ｄを構成した。
【００２２】
斯くして上記落下防止用カバー４を構成する構成部材の形状を図２乃至図５に基づき説明する。
図２は下がり壁面の取りあい部分を構成する鼻先落下防止カバー４の見切り化粧部材５上端部のポケット１７に装着される専用パッキン１８の形状を示すもので、該専用パッキン１８は止水用ヒゲ部１９と、図３に示すポケット１７に装着される嵌合部２０a、２０ｂを有している。
そして、前記下がり壁を形成するタイル１面の取りあい部分を構成する鼻先落下防止カバー４の見切り化粧部材５の上端部のポケット１７の断面形状は不定形シール２１（図１に示す）にて納める場合のポケット１７と専用パッキン１８で納める場合のポケット１７を兼用できる形状としている。
【００２３】
図３は、下がり壁鼻先部分見切り化粧部材５の形状を示す側面図であり、１７はポケット、２１、２２は水抜き穴、２３はピース材として装着されるフラット板材、２４a、２４ｂは接続用コ型嵌合部、２５はジョイントアームである。
そして、見切り化粧部材５は上端部に専用パッキン１８並びに不定形シール２１の兼用ポケット１７を有し、Ｌ字型にジョイントアーム２１が形成され、該ジョイントアーム２１元部には水抜き孔２２が穿たれている。
【００２４】
また、見切り化粧部材５は、フラット板材２３の接続用コ型嵌合部２４a、２４ｂを有し、該接続用コ型嵌合部２４a、２４ｂに前記フラット板材２３を接続用芯材として挿嵌しビス止め（図示せず）することにより見切り化粧部材５間の直線ジョイント、或いは出隅、入隅のコーナージョイントが形成できる。
【００２５】
尚、１０は前記見切り化粧部材５と軒天見込み化粧部材６とを接続するためのビスで、該ビス１０は任意ピッチで螺着されている。
【００２６】
図４は、軒天見込み化粧部材６の形状を示す側面図であり、２６はジョイントアーム受け材、２７は水抜き穴、２８は任意に穿たれる見切り化粧部材５と軒天見込み化粧部材６とを接続するためのビス穴、１１a、１１ｂはアンカー設置溝、１３はアンカー設置溝１１a、１１ｂの化粧カバーとなるアルミ蓋材をそれぞれ示している。
【００２７】
また、軒天見込み化粧部材６は、フラット板材２９の接続用コ型嵌合部３０a、３０ｂを有し、該接続用コ型嵌合部３０a、３０ｂに前記フラット板材２９を接続用芯材として挿嵌しビス止め（図示せず）することにより軒天見込み化粧部材６間の直線ジョイント、或いは出隅、入隅のコーナージョイントが形成できる。
【００２８】
図５は、見込み幅形成部材７の形状を示す側断面図であり、３１はジョイント突起、１４はアンカー設置溝、１６はアルミ蓋部材、３２はコーキング受け部である。
【００２９】
また、見込み幅形成部材７は、フラット板材３３の接続用コ型嵌合部３４a、３４ｂを有し、該接続用コ型嵌合部３４a、３４ｂに前記フラット板材３３を接続用芯材として挿嵌しビス止め（図示せず）することにより見込み幅形成部材７間の直線ジョイント、或いは出隅、入隅のコーナージョイントが形成できる。
【００３０】
斯くして実施例１においては、下がり壁部鼻先部分の見切り化粧部材５、軒天見込み化粧部材６、見込み幅形成部材７をジョイントすることにより適宜見付幅並びに見込みを有する落下防止用カバー４が構成できる。
【００３１】
そして、前記鼻先落下防止カバー４を形成する下がり壁部鼻先部分の見切り化粧部材５、軒天見込み化粧部材６、見込み幅形成部材７はそれぞれフラット板材２３、２９、３３の接続用コ型嵌合部を有し、該接続用コ型嵌合部に前記フラット板材を接続用芯材として挿嵌しビス止めすることによりそれぞれの部材間の直線ジョイント或いは出隅、入隅のコーナージョイントが形成できる。
【実施例２】
【００３２】
図６は本発明の実施例２を説明する側断面図であり、図６において図１と同一構成要素は同一符号にて示されている。
図６において、１は建物の下がり壁を形成するタイル、２はモルタルから成る軒天部、３はコンクリート躯体、４は見切り化粧部材５と軒天見込み化粧部材６の組合せにより形成された落下防止用カバーである。
【００３３】
而して、実施例２はポケット１７とコーキング受け部３２にコーキングを施した納まりとなっている。そしてコンクリート躯体３に打設され、落下防止用カバー４を固着するアンカーボルト１２は、その下がり壁の形状から、アンカー設置溝１１ｂを利用してコンクリート躯体３に打設されている。
【実施例３】
【００３４】
図７は本発明の実施例３を説明する側断面図であり、図７において図１と同一構成要素は同一符号にて示されている。
図７において、１は建物の下がり壁を形成するタイル、２はモルタルから成る軒天部、３はコンクリート躯体、４は見切り化粧部材５と軒天見込み化粧部材６の組合せにより形成された落下防止用カバーである。
【００３５】
而して、実施例２はポケット１７とコーキング受け部３２にコーキングを施した納まりとなっている。そしてコンクリート躯体３に打設され、落下防止用カバー４を固着するアンカーボルト１２は、その下がり壁の形状から、アンカー設置溝１１aを利用してコンクリート躯体３に打設されている。
【００３６】
尚、図６と図７の見切り化粧部材５の見付寸法Ｗは、大小と任意に押出形材にて製作したものであり、該それぞれの寸法のことなる見切り化粧部材５，軒天見込み化粧部材６，見込み幅形成部材を７を数種類ずつ製作して在庫しておくことにより、非常にその利用価値は大きくなる。
【００３７】
斯くして、本発明は上記実施例１乃至実施例３にて説明した如く、下がり壁の鼻先部分と軒天分部をジョイント方式とすることによりそれぞれのアルミ押出形材の組合せができ、多様な寸法の現場納まりに対応することができ、また軒天部分もコンクリート躯体の損傷の度合いに応じてジョイント方式で見込み幅を大きくすることができる。
【００３８】
本発明は、アンカー設置溝を設け、該アンカー設置溝をアルミ蓋部材で覆うように構成することにより、アンカーボルトの打設位置に鉄筋が有った場合でも、該アンカー設置溝内でアンカーボルトの打ち直しができ、この場合アルミ蓋部材で後からアンカー設置溝をカバーすることにより、補修をすることなく仕上げることができる。
【００３９】
また、本発明は軒天見込み化粧部材、或いは見込み幅形成部材にアンカー設置溝を少なくとも二本設けることにより、モルタルの厚みやコンクリート躯体位置に対して柔軟にアンカーボルト打設位置を変更して対応でき、コンクリート躯体にアンカーボルトが効く位置を現場毎に選定することができる。
【００４０】
更に本発明は、下がり壁部上部と壁面の納まりを専用パッキンで行う時は当該施工場所に脚立等が設置できれば外部足場は不要となり、足場無し施工がができる。
【産業上の利用可能性】
【００４１】
斯くして本発明は、下がり壁部分の落下防止用カバーを汎用性のある組合せ式アルミ押出形材で予め製作しておき、該規格化された数種類の部品を現場に合わせて組合せながら取付できるように構成し、下がり壁部分の落下防止用カバーを迅速、且つ、精度良く施工できるようにしたものである。
【００４２】
また当然のことながら本発明は、建物の新築工事においても、下がり壁の下端水切として迅速、且つ、高精度に施工できるものであることから、該落下防止用カバーは産業上広く活用され得るものであり、その利用価値は多大なものがある。
【図面の簡単な説明】
【００４３】
【図１】本発明の実施例１を説明する側断面図である。
【図２】実施例１に使用される専用パッキンの形状を示す側断面図である。
【図３】下がり壁鼻先部分の見切り化粧部材の形状を示す側断面説明図である。
【図４】軒天見込み化粧部材の形状を示す側断面説明図である。
【図５】見込み幅形成部材の形状を示す側断面説明図である。
【図６】本発明の実施例２を説明する側断面図である。
【図７】本発明の実施例３を説明する側断面図である。
【符号の説明】
【００４４】
１  建物の下がり壁を形成するタイル
２  モルタルからなる軒天部
３  コンクリート躯体
４  落下防止用カバー
５  下がり壁鼻先部分見切り化粧部材
６  軒天見込み化粧部材
７  見込み幅形成部材
８  下がり壁鼻先部
９  軒天端部
１０  ビス
１１a、１１ｂ  アンカー設置溝
１２  アンカーボルト
１３  アルミ蓋部材
１４  アンカー設置溝（見込み幅形成部材用）
１５  アンカーボルト
１６  アルミ蓋部材
１７  ポケット
１８  専用パッキン
１９  止水用ヒゲ部
２０a、２０ｂ  嵌合部
２１  水抜き穴
２２  水抜き穴
２３  フラット板材
２４a、２４ｂ  接続用コ型嵌合部
２５  ジョイントアーム
２６  ジョイントアーム受け材
２７  水抜き穴
２８  ビス孔
２９  フラット板材
３０a、３０ｂ  接続用コ型嵌合部
３１  ジョイント突起
３２  コーキング受け部
３３  フラット板材
３４a、３４ｂ  接続用コ型嵌合部  
Ｄ：見込み部
Ｗ：見付部
【図１】
2005307634.tif 000003
【図２】
2005307634.tif 000004
【図３】
2005307634.tif 000005
【図４】
2005307634.tif 000006
【図５】
2005307634.tif 000007
【図６】
2005307634.tif 000008
【図７】
2005307634.tif 000009